(57)【要約】      （修正有）【課題】簡単な構成で複数画像を同時に表示できるようにする。【解決手段】１台のカメラにより撮影された画像からユーザの所定の向きの複数の画像を取得する取得部と、前記取得部により取得された複数の前記画像を鏡像として表示させるように統合する画像処理部とを備える。画像処理部は、実像の右側面画像を鏡像の左側面画像に変換し、実像の左側面画像を鏡像の右側面画像に変換し、実像の正面画像または背面画像を鏡像の正面画像または背面画像に変換し、それらを配置して表示させるように統合することができる。【選択図】図６
2013026776.tif 000002
【特許請求の範囲】
【請求項１】
１台のカメラにより撮影された画像からユーザの所定の向きの複数の画像を取得する取得部と、
前記取得部により取得された複数の前記画像を鏡像として表示させるように統合する画像処理部と
を備える画像処理装置。
【請求項２】
前記画像から前記ユーザの顔を検出する顔検出部をさらに備え、
前記取得部は、
前記顔検出部により前記画像から前記ユーザの右側面の顔が検出された場合、前記画像を実像の右側面画像として取得し、
前記顔検出部により前記画像から前記ユーザの左側面の顔が検出された場合、前記画像を実像の左側面画像として取得する
請求項１に記載の画像処理装置。
【請求項３】
前記取得部は、さらに実像の正面画像または背面画像を取得する
請求項２に記載の画像処理装置。
【請求項４】
前記画像処理部は、実像の前記右側面画像を鏡像の左側面画像に変換し、実像の前記左側面画像を鏡像の右側面画像に変換し、実像の前記正面画像または背面画像を鏡像の正面画像または背面画像に変換する
請求項３に記載の画像処理装置。
【請求項５】
前記画像処理部は、鏡像の前記左側面画像を鏡像の前記正面画像または背面画像の左側に配置し、鏡像の前記右側面画像を鏡像の前記正面画像または背面画像の右側に配置して表示させるように統合する
請求項４に記載の画像処理装置。
【請求項６】
前記取得部は、前記ユーザにより鏡像の前記右側面画像、鏡像の前記左側面画像、および鏡像の前記正面画像または背面画像のいずれかの画像の削除が指示された場合、削除が指示された前記画像に対応する新たな画像を取得する
請求項５に記載の画像処理装置。
【請求項７】
前記取得部は、前記ユーザの頭頂部画像をさらに取得し、
前記画像処理部は、鏡像の前記頭頂部画像を上下を逆にして、鏡像の前記正面画像または背面画像の上に表示させるように統合する
請求項６に記載の画像処理装置。
【請求項８】
前記ユーザのジェスチャを検出するジェスチャ検出部と、リモートコントローラからの信号を検出する検出部の少なくとも一方をさらに備え、
前記取得部は、前記ジェスチャ検出部により前記ジェスチャが検出されたタイミング、または前記リモートコントローラからの信号が検出されたタイミングの画像を取得する
請求項７に記載の画像処理装置。
【請求項９】
前記取得部は、前記ユーザに対して回転が指示された場合、前記カメラにより所定時間毎に撮影された前記画像を取得し、
前記画像処理部は、前記取得部により取得された複数の前記画像のうち、前記ユーザにより選択された前記画像の鏡像を表示させるように統合する
請求項１に記載の画像処理装置。
【請求項１０】
１台のカメラにより撮影された画像からユーザの所定の向きの複数の画像を取得する取得ステップと、
前記取得ステップの処理により取得された複数の前記画像を鏡像として表示させるように統合する画像処理ステップと
を含む画像処理方法。
【発明の詳細な説明】
【技術分野】
【０００１】
本技術は画像処理装置および方法に関し、特に、簡単な構成で複数画像を同時に表示するようにした画像処理装置および方法に関する。
【背景技術】
【０００２】
カメラによりユーザの姿を撮影し、鏡の代わりにテレビジョン受像機などのディスプレイに表示させる技術が提案されている（例えば特許文献１参照）。
【０００３】
特許文献１の技術では、２台のカメラをユーザの前と後ろにそれぞれ配置し、１つの画面が２分割された画面に、カメラにより撮影されたユーザの真正面の姿の映像と、真後ろの姿の映像をそれぞれ表示する。このとき表示される画像は、左右が反転しない画像（以下、このような画像を実像と称する）となる。
【先行技術文献】
【特許文献】
【０００４】
【特許文献１】特開２００１−２５００４号公報
【発明の開示】
【発明が解決しようとする課題】
【０００５】
しかしながら、特許文献１の技術では、カメラを２台使用しているので、構成が複雑であり、またカメラの設置スペースを確保しなければならなかった。
【０００６】
さらに、特許文献１の技術は、撮影して得られた画像を、鏡を介して見る画像のように、左右が反転した画像（以下、このような画像を鏡像と称する）として表示するのではなく、左右が反転しない実像として表示する。その結果、鏡を介して身なりを整えることになれているユーザは、左右の方向が直感的な感覚に合わず、操作性が悪かった。
【０００７】
本技術は、このような状況に鑑みてなされたものであり、簡単な構成で複数の画像を同時に表示できるようにするものである。
【課題を解決するための手段】
【０００８】
本技術の一側面の画像処理装置は、１台のカメラにより撮影された画像からユーザの所定の向きの複数の画像を取得する取得部と、前記取得部により取得された複数の前記画像を鏡像として表示させるように統合する画像処理部とを備える。
【０００９】
前記画像から前記ユーザの顔を検出する顔検出部をさらに備え、前記取得部は、前記顔検出部により前記画像から前記ユーザの右側面の顔が検出された場合、前記画像を実像の右側面画像として取得し、前記顔検出部により前記画像から前記ユーザの左側面の顔が検出された場合、前記画像を実像の左側面画像として取得することができる。
【００１０】
前記取得部は、さらに実像の正面画像または背面画像を取得することができる。
【００１１】
前記画像処理部は、実像の前記右側面画像を鏡像の左側面画像に変換し、実像の前記左側面画像を鏡像の右側面画像に変換し、実像の前記正面画像または背面画像を鏡像の正面画像または背面画像に変換することができる。
【００１２】
前記画像処理部は、鏡像の前記左側面画像を鏡像の前記正面画像または背面画像の左側に配置し、鏡像の前記右側面画像を鏡像の前記正面画像または背面画像の右側に配置して表示させるように統合することができる。
【００１３】
前記取得部は、前記ユーザにより鏡像の前記右側面画像、鏡像の前記左側面画像、および鏡像の前記正面画像または背面画像のいずれかの画像の削除が指示された場合、削除が指示された前記画像に対応する新たな画像を取得することができる。
【００１４】
前記取得部は、前記ユーザの頭頂部画像をさらに取得し、前記画像処理部は、鏡像の前記頭頂部画像を上下を逆にして、鏡像の前記正面画像または背面画像の上に表示させるように統合することができる。
【００１５】
前記ユーザのジェスチャを検出するジェスチャ検出部と、リモートコントローラからの信号を検出する検出部の少なくとも一方をさらに備え、前記取得部は、前記ジェスチャ検出部により前記ジェスチャが検出されたタイミング、または前記リモートコントローラからの信号が検出されたタイミングの画像を取得することができる。
【００１６】
前記取得部は、前記ユーザに対して回転が指示された場合、前記カメラにより所定時間毎に撮影された前記画像を取得し、前記画像処理部は、前記取得部により取得された複数の前記画像のうち、前記ユーザにより選択された前記画像の鏡像を表示させるように統合することができる。
【００１７】
本技術の一側面の画像処理方法は、１台のカメラにより撮影された画像からユーザの所定の向きの複数の画像を取得する取得ステップと、前記取得ステップの処理により取得された複数の前記画像を鏡像として表示させるように統合する画像処理ステップとを含む。
【００１８】
本技術の一側面においては、１台のカメラにより撮影された画像からユーザの所定の向きの複数の画像が取得され、取得された複数の画像が鏡像として表示されるように統合される。
【発明の効果】
【００１９】
本技術の側面によれば、簡単な構成で複数の画像を同時に表示することが可能になる。
【図面の簡単な説明】
【００２０】
【図１】本技術の画像処理システムの一実施の形態の構成を示すブロック図である。
【図２】画像処理装置の一実施の形態の構成を示すブロック図である。
【図３】ＧPUの機能的構成例を示すブロック図である。
【図４】３面表示処理を説明するフローチャートである。
【図５】表示装置の表示例を示す図である。
【図６】表示装置の表示例を示す図である。
【図７】背面画像取得処理を説明するフローチャートである。
【図８】右側面画像取得処理を説明するフローチャートである。
【図９】左側面画像取得処理を説明するフローチャートである。
【図１０】３面表示処理を説明するフローチャートである。
【図１１】表示装置の表示例を示す図である。
【図１２】画像変更処理を説明するフローチャートである。
【図１３】表示装置の表示例を示す図である。
【図１４】３面表示処理を説明するフローチャートである。
【図１５】表示装置の表示例を示す図である。
【図１６】表示装置の表示例を示す図である。
【図１７】４面表示処理を説明するフローチャートである。
【図１８】表示装置の表示例を示す図である。
【図１９】頭頂部画像取得処理を説明するフローチャートである。
【図２０】見本画像出力処理を説明するフローチャートである。
【図２１】表示装置の表示例を示す図である。
【図２２】表示装置の表示例を示す図である。
【図２３】表示装置の表示例を示す図である。
【発明を実施するための最良の形態】
【００２１】
以下、本技術を実施するための形態（以下、実施の形態という）について説明する。なお、説明は以下の順序で行う。
＜１＞第１の実施の形態
１．画像処理システムの構成
２．３面表示処理１
３．背面画像取得処理
４．右側面画像取得処理
５．左側面画像取得処理
６．３面表示処理２
７．画像変更処理
＜２＞第２の実施の形態
８．３面表示処理３
＜３＞第３の実施の形態
９．４面表示処理
１０．頭頂部画像取得処理
＜４＞第４の実施の形態
１１．見本画像出力処理
１２．その他
【００２２】
＜第１の実施の形態＞
【００２３】
［画像処理システムの構成］
【００２４】
図１は、本技術が適用される画像処理システム１の一実施の形態の構成を示す図である。図１の画像処理システム１は、画像処理装置２１、表示装置２２、カメラ２３、およびリモートコントローラ２４から構成される。
【００２５】
画像処理装置２１は、例えば、STB（Set Top Box）の形式で構成され、表示装置２２とカメラ２３の間に挿入される。画像処理装置２１の詳細は、図２を参照して後述する。
【００２６】
表示装置２２は、例えば、テレビジョン受像機やディスプレイなどにより構成され、画像処理装置２１とHDMI（High-Definition Multimedia Interface）ケーブルなどを介して接続される。
【００２７】
カメラ２３は、CMOS（Complementary Metal Oxide Semiconductor）イメージセンサ、CCD（Charge Coupled Device）イメージセンサなどにより構成される。カメラ２３は、表示装置２２の上に配置され、撮像した画像を画像処理装置２１に出力する。リモートコントローラ４は、ユーザにより操作され、画像処理装置２１の動作を制御する。
【００２８】
図２は、画像処理装置２１の一実施の形態を示すブロック図である。画像処理装置２１は、ＧPU（Graphics Processing Unit）４１、画像入力部４２、画像出力部４３、操作入力部４４、メモリカードスロット４５、および記憶装置４６から構成される。
【００２９】
ＧPU４１は、プログラムに従って画像に関する処理を実行するとともに、各種の動作を制御する。なお、GPU４１は、CPU（Central Processing Unit）などと組み合わせることも可能である。図３を参照して、ＧPU４１の機能的な構成について説明する。
【００３０】
図３は、ＧPU４１の機能的な構成例を示すブロック図である。ＧPU４１は、顔検出部６１、判定部６２、取得部６３、画像処理部６４、制御部６５、記憶部６６、およびジェスチャ検出部６７を有している。
【００３１】
なおＧPU４１の各ブロックは、必要に応じて相互に信号、データを授受することが可能とされている。
【００３２】
顔検出部６１は、画像から顔を検出する。判定部６２は、各種の判定処理を実行する。取得部６３は、各種の情報を取得する。画像処理部６４は、各種の画像処理を実行する。制御部６５は、各種の制御処理を実行する。記憶部６６は、各種の情報を記憶する。ジェスチャ検出部６７は、画像からジェスチャを検出する。
【００３３】
図２に戻り、画像入力部４２は、カメラ２３により撮影された画像（静止画像または動画像）の入力を受け付ける。画像出力部４３は、表示装置２２に画像を出力する。操作入力部４４は、ユーザにより操作されるボタンや、リモートコントローラ２４からの赤外線、電波等の入力信号を受け付ける。
【００３４】
メモリカードスロット４５は、挿入されたメモリカード５１に対して、各種の情報を読み書きする。記憶装置４６は、ハードディスクや不揮発性メモリなどにより構成される。
【００３５】
［３面表示処理１］
【００３６】
次に、図４乃至図９を参照して、３面表示処理１について説明する。図４は、３面表示処理１を説明するフローチャートである。図５と図６は、表示装置２２の表示例を示す図である。
【００３７】
３面表示処理１は、画像処理装置２１および表示装置２２の電源がオンにされている場合に、ユーザの操作により、表示装置２２を構成するテレビジョン受像機の入力選択をHDMIに変更することで開始される。
【００３８】
ステップＳ１において、背面画像取得処理が実行される。すなわち、入力がHDMIに変更されると、カメラ２３によりユーザが撮影され、その画像が取得部６３により取得される。
【００３９】
カメラ２３により撮影して得られる画像は、人が見た状態と同様の画像（つまり、左右が反転していない実像）であるが、この実像の画像は画像処理部６４により処理され、鏡を介して見た状態の画像（すなわち、左右が反転した鏡像）に変換される。
【００４０】
例えばユーザが右手を上げたときに撮影された画像は、左手を上げた画像に変換される。このことは、他のステップＳ２，Ｓ３でも同様である。
【００４１】
例えば、図５Ａに示されるように、ユーザ１００がカメラ２３に対して背を向けた状態で撮影されると、得られた実像の背面画像は画像処理部６４により鏡像に変換される。この鏡像としての背面画像１０２が表示装置２２に表示される。
【００４２】
なお、図５の例では表示装置２２の上部にカメラ２３が設置されているが、カメラ２３の設置位置はこの位置に限られず、ユーザの顔を検出できればどこに設置してもよい。
【００４３】
ステップＳ１の背面画像取得処理の詳細については、図７を参照して後述する。
【００４４】
ステップＳ２において、右側面画像取得処理が実行される。例えば、図５Ｂに示されるように、カメラ２３に対して背面を向けた状態から左を向いた状態（カメラ２３に向かって右を向いた状態）のユーザ１００が撮影される。
【００４５】
これによりユーザ１００の実像の左側面画像が撮影される。実像の左側面画像は鏡像の右側面画像１０３に変換される。右側面画像取得処理の詳細については、図８を参照して後述する。
【００４６】
ステップＳ３において、左側面画像取得処理が実行される。例えば、図５Cに示されるように、カメラ２３に対して背面を向けた状態から右を向いた状態（カメラ２３に向かって左を向いた状態）のユーザ１００が撮影される。
【００４７】
これによりユーザ１００の実像の右側面画像が撮影される。実像の右側面画像は鏡像の左側面画像１０４に変換される。左側面画像取得処理の詳細については、図９を参照して後述する。
【００４８】
ステップＳ４において、画像処理部６４は、画像を結合する。すなわち、ステップＳ１乃至Ｓ３の処理でそれぞれ取得された背面画像１０２、右側面画像１０３、および左側面画像１０４が、鏡像として表示されるようにそれぞれ結合された結合画像が生成される。
【００４９】
この例では、図６に示されるように、背面画像１０２は画面の中央に配置され、右側面画像１０３は画面の右側（つまり、背面画像１０２の右側）に配置され、左側面画像１０４は画面の左側（つまり、背面画像１０２の左側）に配置される。
【００５０】
なお、ユーザ１００が回転するとき、カメラ２３に対する距離が変化して、背面画像１０２、右側面画像１０３、および左側面画像１０４の頭頂部の高さ位置が変化することがある。この場合、各画像の頭頂部の高さ位置が同じになるように、鏡像が処理される。
【００５１】
ステップＳ５において、画像出力部４３は、表示装置２２にステップＳ４の処理で結合された画像を出力する。これにより図６に示されるように、背面画像１０２、右側面画像１０３、および左側面画像１０４が結合された結合画像が表示装置２２に表示される。
【００５２】
これらの背面画像１０２、右側面画像１０３、および左側面画像１０４は、それぞれ鏡像である。従って、ユーザは鏡を介して自己の画像を見ている場合と同様に身だしなみを整えることができ、実像を見る場合に比べて、操作性が改善される。
【００５３】
このように、カメラを１台だけを利用する簡単な構成で、ユーザの所定の向きの３枚の画像が取得され、取得された３枚の画像を鏡像として同時に表示することができる。
【００５４】
［背面画像取得処理］
【００５５】
図７は、図４のステップＳ１の背面画像取得処理の詳細を説明するフローチャートである。
【００５６】
ステップＳ２１において、画像出力部４３は、背面撮影用メッセージを出力する。すなわち、表示装置２２に背面撮影用メッセージが表示される。
【００５７】
背面撮影用メッセージは、例えば、図５Ａに示されるように、「背面を向けてください」などのメッセージ１０１−１である。なお、このとき画像に代えて、または画像とともに、音声によるメッセージも出力することができる。
【００５８】
図７のステップＳ２２において、取得部６３は、画像を取得する。すなわち、カメラ２３により撮影された画像が取得される。
【００５９】
ステップＳ２３において、顔検出部６１は、顔を検出する。すなわち、ステップＳ２２の処理で取得された画像から顔の領域が検出される。
【００６０】
例えば、顔検出のために、数十から数百種類の顔画像からなる基準画像が予め用意される。顔検出部６１は、取得された画像中に矩形領域を設定し、基準画像と矩形領域の画像を比較して画像の類似度を算出する。類似度が閾値より大きい画像が顔画像とされる。
【００６１】
顔検出部６１は、取得された画像に対して、様々な矩形領域を設定し、類似度を適宜算出することにより、取得された画像から顔の領域を検出する。なお、顔の検出方法は、この方法に限られず、顔が検出できればどのような方法を利用してもよい。
【００６２】
なお、顔検出部６１は、正面画像の他、ユーザが横を向いた左向き画像および右向き画像を検出することもできる。
【００６３】
ステップＳ２４において、判定部６２は、顔が検出されたかを判定する。すなわち、ユーザがカメラ２３の方向を向いているかが判定される。
【００６４】
ステップＳ２４において、顔が検出されたと判定された場合、すなわちユーザがカメラ２３の方向を向いている場合、ユーザはカメラ２３に対して背面を向けていないので、処理はステップＳ２２に戻り、それ以降の処理が繰り返される。
【００６５】
一方、ステップＳ２４において、顔が検出されていないと判定された場合、すなわち、ユーザがカメラ２３に対して背面を向けている場合、処理はステップＳ２５に進む。
【００６６】
ステップＳ２５において、画像処理部６４は、背面画像を変換する。すなわち、ステップＳ２２の処理で取得された実像の背面画像が鏡像の背面画像に変換される。
【００６７】
例えば、図５Ａに示されるように、ステップＳ２２で取得された実像の背面画像は画像処理部６４により鏡像の背面画像１０２に変換される。ステップＳ２５の処理の後、処理は図４のステップＳ２に進む。
【００６８】
［右側面画像取得処理］
【００６９】
図８は、図４のステップＳ２の右側面画像取得処理の詳細を説明するフローチャートである。
【００７０】
ステップＳ４１において、画像出力部４３は、右側面撮影用メッセージを出力する。右側面撮影用メッセージは、例えば、図５Ｂに示されるように、「左を向いてください」などのメッセージ１０１−２である。なお、この場合においても、画像に代えて、または画像とともに、音声によるメッセージを出力することもできる。
【００７１】
ステップＳ４２において、取得部６３は、画像を取得する。すなわち、カメラ２３により撮影された画像が取得される。
【００７２】
ステップＳ４３において、顔検出部６１は、右側面の顔を検出する。すなわち、ユーザがカメラ２３に対して左を向いている顔、すなわちユーザの右側面の顔が検出される。
【００７３】
ステップＳ４４においては、判定部６２は、右側面の顔が検出されたかを判定する。すなわち、ユーザがカメラ２３に対して右側面の顔を向けたかが判定される。
【００７４】
ステップＳ４４において、まだ右側面の顔が検出されていないと判定された場合、すなわちユーザがカメラ２３に対して右側面の顔を向けていない場合、処理はステップＳ４２に戻り、それ以降の処理が繰り返される。
【００７５】
一方、ステップＳ４４において、右側面の顔が検出されたと判定された場合、すなわち、ユーザがカメラ２３に対して右側面の顔を向けている場合、処理はステップＳ４５に進む。
【００７６】
ステップＳ４５において、画像処理部６４は、右側面画像を変換する。すなわち、ステップＳ４２の処理で取得された実像の右側面画像が鏡像の右側面画像に変換される。
【００７７】
例えば、図５Ｂに示されるように、ステップＳ４２で取得された実像の右側面画像は画像処理部６４により鏡像の右側面画像１０３に変換される。ステップＳ４５の処理の後、処理は図４のステップＳ３に進む。
【００７８】
［左側面画像取得処理］
【００７９】
図９は、図４のステップＳ３の左側面画像取得処理の詳細を説明するフローチャートである。
【００８０】
図９のステップＳ６１において、画像出力部４３は、左側面撮影用メッセージを出力する。左側面撮影用メッセージは、例えば、図５Ｃに示されるように、「右を向いてください」などのメッセージ１０１−３である。この場合においても、画像に代えて、または画像とともに、音声によるメッセージを出力することもできる。
【００８１】
ステップＳ６２において、取得部６３は、画像を取得する。すなわち、カメラ２３により撮影された画像が取得される。
【００８２】
ステップＳ６３において、顔検出部６１は、左側面の顔を検出する。すなわち、ユーザがカメラ２３に対して右を向いている顔、すなわちユーザの左側面の顔が検出される。
【００８３】
ステップＳ６４においては、判定部６２は、左側面の顔が検出されたかを判定する。すなわち、ユーザがカメラ２３に対して左側面の顔を向けたかが判定される。
【００８４】
ステップＳ６４において、まだ左側面の顔が検出されていないと判定された場合、すなわちユーザがカメラ２３に対して左側面の顔を向けていない場合、処理はステップＳ６２に戻り、それ以降の処理が繰り返される。
【００８５】
一方、ステップＳ６４において、左側面の顔が検出されたと判定された場合、すなわち、ユーザがカメラ２３に対して左側面の顔を向けている場合、処理はステップＳ６５に進む。
【００８６】
ステップＳ６５において、画像処理部６４は、左側面画像を変換する。すなわち、ステップＳ６２の処理で取得された実像の左側面画像が鏡像の左側面画像に変換される。
【００８７】
例えば、図５Ｃに示されるように、ステップＳ６２で取得された実像の左側面画像は画像処理部６４により鏡像の左側面画像１０４に変換される。ステップＳ６５の処理の後、処理は図４のステップＳ４に進む。
【００８８】
［３面表示処理２］
【００８９】
次に、図１０と図１１を参照して、３面表示処理２について説明する。図１０は、３面表示処理２を説明するフローチャートである。図１１は、表示装置２２の表示例を示す図である。
【００９０】
図１０においてステップＳ１０１，Ｓ１０５，Ｓ１０９，Ｓ１１３，Ｓ１１４の処理は、図４のステップＳ１乃至Ｓ５の処理に対応する処理である。従って、これらの処理は繰り返しになるので簡単に説明する。
【００９１】
図１０の３面表示処理２は、画像処理装置２１および表示装置２２の電源がオンにされ、表示装置２２の入力選択をHDMIに変更することで開始される。
【００９２】
ステップＳ１０１において、図７の背面画像取得処理が実行される。すなわち、カメラ２３により撮影された画像から、ユーザの背面画像が取得される。
【００９３】
ステップＳ１０２において、画像出力部４３は、背面画像を出力する。すなわち、ステップＳ１０１の処理で取得された背面画像が表示装置２２に表示される。例えば、図１１Ａに示されるように表示装置２２に背面画像１０２が表示される。
【００９４】
ステップＳ１０３において、判定部６２は、画像を削除するかを判定する。すなわち、ユーザは、表示された画像を見て、撮り直しをするか否かを判断し、撮り直しをする場合には、いま取得され、表示されている画像の削除をリモートコントローラ２４などにより指示する。
【００９５】
ここでは、ユーザの操作により背面画像の撮り直しが指示されたかが判定される。ステップＳ１０３において画像を削除すると判定された場合、処理はステップＳ１０４に進む。
【００９６】
ステップＳ１０４において、制御部６５は、背面画像を削除する。すなわち、ステップＳ１０１の処理で取得され、ステップＳ１０２の処理で表示装置２２に表示された背面画像が削除される。
【００９７】
例えば、削除が指示された場合、図１１Ｂに示されるように、表示装置２２に表示されていた背面画像１０２が削除され、表示装置２２の画面上から削除される。
【００９８】
ステップＳ１０４の処理の後、処理はステップＳ１０１に戻り、それ以降の処理が繰り返される。すなわち、新たな背面画像が撮り直される。
【００９９】
一方、ステップＳ１０３において、画像を削除しないと判定された場合、つまりユーザが削除を指示しなかった場合、ステップＳ１０５において、図８の右側面画像取得処理が実行される。すなわち、右側面画像が取得される。
【０１００】
ステップＳ１０６において、画像出力部４３は、右側面画像を出力する。すなわち、ステップＳ１０５の処理で取得された右側面画像が表示装置２２に表示される。
【０１０１】
ステップＳ１０７において、判定部６２は、画像を削除するかを判定する。すなわち、ユーザは、表示された画像を見て、撮り直しをするか否かを判断し、撮り直しをする場合には、いま取得され、表示されている画像の削除を指示する。
【０１０２】
ここでは、ユーザにより右側面画像の撮り直しが指示されたかが判定される。ステップＳ１０７において画像を削除すると判定された場合、処理はステップＳ１０８に進む。
【０１０３】
ステップＳ１０８において、制御部６５は、右側面画像を削除する。すなわち、ステップＳ１０５の処理で取得され、ステップＳ１０６の処理で表示装置２２に表示された右側面画像が削除される。
【０１０４】
ステップＳ１０８の処理の後、処理はステップＳ１０５に戻り、それ以降の処理が繰り返される。すなわち、新たな右側面画像が撮り直される。
【０１０５】
一方、ステップＳ１０７において、画像を削除しないと判定された場合、つまりユーザが削除を指示しなかった場合、ステップＳ１０９において、図９の左側面画像取得処理が実行される。すなわち、左側面画像が取得される。
【０１０６】
ステップＳ１１０において、画像出力部４３は、左側面画像を出力する。すなわち、ステップＳ１０９の処理で取得された左側面画像が表示装置２２に表示される。
【０１０７】
ステップＳ１１１において、判定部６２は、画像を削除するかを判定する。すなわち、ユーザは、表示された画像を見て、撮り直しをするか否かを判断し、撮り直しをする場合には、いま取得され、表示されている画像の削除を指示する。
【０１０８】
ここでは、ユーザにより左側面画像の撮り直しが指示されたかが判定される。ステップＳ１１１において画像を削除すると判定された場合、処理はステップＳ１１２に進む。
【０１０９】
ステップＳ１１２において、制御部６５は、左側面画像を削除する。すなわち、ステップＳ１０９の処理で取得され、ステップＳ１１０の処理で表示装置２２に表示された左側面画像が削除される。
【０１１０】
ステップＳ１１２の処理の後、処理はステップＳ１０９に戻り、それ以降の処理が繰り返される。すなわち、新たな左側面画像が撮り直される。
【０１１１】
一方、ステップＳ１１１において、画像を削除しないと判定された場合、つまりユーザが削除を指示しなかった場合、処理はステップＳ１１３に進む。
【０１１２】
ステップＳ１１３において、画像処理部６４は、画像を結合する。すなわち、ステップＳ１０１，Ｓ１０５，Ｓ１０９の処理でそれぞれ取得された背面画像、右側面画像、および左側面画像がそれぞれ結合される。
【０１１３】
ステップＳ１１４において、画像出力部４３は、表示装置２２にステップＳ１１３の処理で結合された画像を出力する。これにより上述した場合と同様に、図６に示されるような、背面画像１０２、右側面画像１０３、および左側面画像１０４の結合画像が表示される。ステップＳ１１４の処理の後、図１０の３面表示処理２は終了する。
【０１１４】
このように、カメラ２３により画像が撮影される毎に表示装置２２に表示され、ユーザが表示装置２２に表示された画像が気に入らなかった場合、迅速に撮り直すことができる。
【０１１５】
［画像変更処理］
【０１１６】
図１０の実施の形態では、画像が気に入らなかった場合、背面画像、右側面画像、または左側面画像の撮像直後に撮り直しをするようにした。しかし、背面画像、右側面画像、および左側面画像の撮像が完了した後に、画像を変更できるようにすることもできる。以下、この場合の処理について説明する。
【０１１７】
図１２と図１３を参照して、画像変更処理について説明する。図１２は、画像変更処理を説明するフローチャートである。図１３は、表示装置２２の表示例を示す図である。
【０１１８】
図１２において、ステップＳ１２２，Ｓ１２４，Ｓ１２５，Ｓ１２７乃至Ｓ１３０の処理は、図１０のステップＳ１０１，Ｓ１０３乃至Ｓ１０５，Ｓ１０８，Ｓ１０９，Ｓ１１２の処理に対応する処理である。従って、これらの処理は繰り返しになるので簡単に説明する。
【０１１９】
図１２の画像変更処理は、図４の３面表示処理１、および図１０の３面表示処理２、並びに後述する図１４の３面表示処理３、および図１７の４面表示処理のいずれかが実行され、表示装置２２に結合画像が表示された場合に、ユーザにより画像の変更操作が実行されたとき開始される。
【０１２０】
例えば、図１３Ａに示されるように、表示装置２２に結合画像が表示されている場合に、ユーザにより結合画像のうちの１つの画像（図１３Ａの例では、背面画像１０２）が選択されたとき、画像変更処理が開始される。
【０１２１】
ステップＳ１２１において、取得部６３は、画像を取得する。すなわち、ユーザの変更操作により選択された画像が取得される。
【０１２２】
例えば、図１３Ａに示されるように、表示装置２２に表示された結合画像のうち、ユーザによるカーソル枠１２１の操作により選択された背面画像１０２が取得される。
【０１２３】
ステップＳ１２２において、判定部６２は、画像を削除するかを判定する。すなわち、ユーザは、指定した画像を見て、撮り直しをするか否かを確認し、撮り直しをする場合には、いま指定した画像の削除を指示する。
【０１２４】
ステップＳ１２２において、画像の削除が指示されていないと判定された場合、処理はステップＳ１２１に戻り、それ以降の処理が繰り返される。
【０１２５】
一方、ステップＳ１２２において、画像を削除すると判定された場合、つまりユーザにより画像の削除が指示された場合、ステップＳ１２３において、判定部６２は、削除する画像が背面画像であるかを判定する。すなわち、ユーザの操作により削除が指示された画像が背面画像であるかが判定される。
【０１２６】
ステップＳ１２３において、削除する画像が背面画像であると判定された場合、ステップＳ１２４において、制御部６５は、背面画像を削除する。例えば図１３Ｂに示されるように、表示装置２２に表示された結合画像のうち背面画像１０２が削除される。
【０１２７】
ステップＳ１２５において、図７の背面画像取得処理が実行される。すなわち、図１３Ｃに示されるように、再度新たな背面画像１０２Ａを取得するための処理が実行される。
【０１２８】
一方、ステップＳ１２３において、削除する画像が背面画像ではないと判定された場合、ステップＳ１２６において、判定部６２は、削除する画像が右側面画像であるかを判定する。
【０１２９】
すなわち、ユーザは、右側面画像を変更する場合、例えば、図１３Ａに示されるような、表示装置２２に表示された結合画像から、カーソル枠１２１により右側面画像１０３を選択する。ここでは、削除が指示された画像が右側面画像であるかが判定される。
【０１３０】
ステップＳ１２６において、削除する画像が右側面画像であると判定された場合、ステップＳ１２７において、制御部６５は、右側面画像を削除する。すなわち、表示装置２２に表示された結合画像のうち右側面画像（図１３Ａの例では、右側面画像１０３）が削除される。
【０１３１】
ステップＳ１２８において、図８の右側面画像取得処理が実行される。すなわち、再度新たな右側面画像を取得するための処理が実行される。
【０１３２】
一方、ステップＳ１２６において、削除する画像が右側面画像でないと判定された場合、削除する画像は左側面画像であることになる。つまり、この場合は、ユーザが、例えば、図１３Ａに示されるような、表示装置２２に表示された結合画像から、カーソル枠１２１により左側面画像１０４を選択した場合である。この場合、処理はステップＳ１２９に進む。
【０１３３】
ステップＳ１２９において、制御部６５は、左側面画像を削除する。すなわち、表示装置２２に表示された結合画像のうち左側面画像（図１３Ａの例では、左側面画像１０４）が削除される。
【０１３４】
ステップＳ１３０において、図９の左側面画像取得処理が実行される。すなわち、再度新たな左側面画像を取得するための処理が実行される。
【０１３５】
ステップＳ１２５，Ｓ１２８，Ｓ１３０の処理の後、ステップＳ１３１において、画像処理部６４は、画像を結合する。すなわち、ステップＳ１２５，Ｓ１２８，Ｓ１３０のいずれかの処理で取得された新たな画像が、元の結合画像のうちの画像が削除されたスペースに挿入される。
【０１３６】
ステップＳ１３２において、画像出力部４３は、表示装置２２にステップＳ１３１の処理で結合された画像を出力する。ステップＳ１３１の処理の後、図１２の画像変更処理は終了する。
【０１３７】
このように、ユーザの操作により、表示装置２２に表示されている画像（例えば、背面画像、右側面画像、および左側面画像）のいずれかを削除し、削除された画像に対応する新たな画像を取得することで、結合画像を最新の画像に更新することができる。
【０１３８】
＜第２の実施の形態＞
【０１３９】
［３画面表示処理３］
【０１４０】
図１４乃至図１６を参照して、他の３画面表示処理について説明する。図１４は、３面表示処理３を説明するフローチャートである。図１５と図１６は、表示装置２２の表示例を示す図である。
【０１４１】
ステップＳ１４１において、画像出力部４３は、回転を指示するメッセージを出力する。回転を指示するメッセージは、例えば、図１５に示されるように、「一回転してください」などのメッセージ１４１である。この場合においても、画像に代えて、または画像とともに、音声によるメッセージを出力することもできる。
【０１４２】
図１５のユーザ１００は、メッセージ１４１に従い、時計回転方向または反時計回転方向のいずれかの方向（図１５の例では時計回転方向）に回転する。このとき表示装置２２の画面上には、カメラ２３により撮影されたユーザ１００の画像１４２が表示される。
【０１４３】
ステップＳ１４２において、取得部６３は、一定の間隔毎に画像を取得する。すなわち、カメラ２３により所定時間毎に撮像された被写体の画像が取得される。
【０１４４】
ステップＳ１４３において、画像出力部４３は、表示装置２２にステップＳ１４２の処理で取得された画像を出力する。例えば、図１６に示されるように、回転画像１８１−１乃至１８１−８の８枚の画像が表示装置２２に表示される。
【０１４５】
ステップＳ１４４において、画像出力部４３は、画像取得用メッセージを出力する。画像取得用メッセージは、例えば、「背面画像、右側面画像、左側面画像を選択してください」などの画像、音声またはその両方のメッセージである。
【０１４６】
ステップＳ１４５において、取得部６３は、ユーザにより選択された画像を取得する。すなわち、ステップＳ１４３の処理で出力された回転画像１８１−１乃至１８１−８のうち、ユーザにより選択された背面画像、右側面画像、および左側面画像に対応する回転画像１８１が取得される。
【０１４７】
例えば、背面画像として図１６の回転画像１８１−１が取得され、右側面画像として回転画像１８１−７が取得され、左側面画像として１８１−３が取得される。勿論ユーザは、それ以外の回転画像を選択することも可能である。
【０１４８】
ステップＳ１４６において、画像処理部６４は、画像を結合する。すなわち、ステップＳ１４５の処理で取得された背面画像、右側面画像、および左側面画像（例えば、図１６の回転画像１８１−１，１８１−３，１８１−７）の鏡像が表示されるように、それぞれ結合される。
【０１４９】
ステップＳ１４７において、画像出力部４３は、表示装置２２にステップＳ１４６の処理で結合された画像を出力する。ステップＳ１４７の処理の後、図１４の３面表示処理３は終了する。
【０１５０】
このように、顔検出の機能を利用しなくても、ユーザの背面画像、右側面画像、左側面画像が鏡像として表示装置２２に表示されるので、より簡単な構成で複数の任意の角度の画像を同時に表示することができる。
【０１５１】
＜第３の実施の形態＞
【０１５２】
［４面表示処理］
【０１５３】
次に、図１７と図１８を参照して、４面表示処理について説明する。図１７は、４面表示処理を説明するフローチャートである。図１８は、表示装置２２の表示例を示す図である。
【０１５４】
図１７において、ステップＳ１６１乃至Ｓ１６３，Ｓ１６４，Ｓ１６５の処理は、図４のステップＳ１乃至Ｓ５の処理に対応する処理である。従って、これらの処理は繰り返しになるので簡単に説明する。
【０１５５】
４面表示処理は、画像処理装置２１および表示装置２２の電源がオンにされている状態において、ユーザの操作により、表示装置２２を構成するテレビジョン受像機の入力選択をHDMIに変更することで開始される。
【０１５６】
ステップＳ１６１において、図７の背面画像取得処理が実行される。すなわち、ユーザの背面画像が取得される。ステップＳ１６２において、図８の右側面画像取得処理が実行される。すなわち、ユーザの右側面画像が取得される。
【０１５７】
ステップＳ１６３において、図９の左側面画像取得処理が実行される。すなわち、ユーザの左側面画像が取得される。
【０１５８】
ステップＳ１６４において、頭頂部画像取得処理が実行される。すなわち、ユーザの頭頂部画像が取得される。頭頂部画像取得処理は、図１９を参照して後述する。
【０１５９】
ステップＳ１６５において、画像処理部６４は、画像を結合する。すなわち、ステップＳ１６１乃至Ｓ１６４の処理でそれぞれ取得された背面画像、右側面画像、左側面画像、および頭頂部画像が鏡像として表示されるように、それぞれ結合された結合画像が生成される。
【０１６０】
ステップＳ１６６において、画像出力部４３は、ステップＳ１６５の処理で結合された画像を出力する。例えば、図１８Ｂに示されるように、背面画像１０２、右側面画像１０３、左側面画像１０４、および頭頂部画像２２１が結合された結合画像が表示装置２２に表示される。
【０１６１】
なお、図１８Ａの頭頂部画像２０２は、図１８Ｂの頭頂部画像２２１に示されるように、上下が反転されて表示装置２２に表示されている。すなわち、頭頂部画像２０２は、ステップＳ１６５の処理で画像処理部６４により上下が反転され、頭頂部画像２２１として結合される。なお、勿論、頭頂部画像２０２は、左右も反転された画像である。
【０１６２】
このように、カメラを１台だけを利用する簡単な構成で４枚の画像を鏡像として同時に表示することができる。
【０１６３】
［頭頂部画像取得処理］
【０１６４】
図１９は、図１７のステップＳ１６４の頭頂部画像取得処理の詳細を説明するフローチャートである。
【０１６５】
ステップＳ１８１において、画像出力部４３は、頭頂部撮影用メッセージを出力する。頭頂部撮影用メッセージは、例えば、図１８Ａに示されるように、「頭頂部を向けて、右手を上げてください」などの画像、音声またはその両方のメッセージ２０１である。
【０１６６】
ステップＳ１８２において、取得部６３は、画像を取得する。すなわち、カメラ２３により撮影された画像が取得される。
【０１６７】
ステップＳ１８３において、ジェスチャ検出部６７は、ジェスチャを検出する。頭頂部撮影開始用のジェスチャは、例えば右手を上げるジェスチャと予め決められている。ユーザは頭を下げ、所定のタイミングで右手を上げる。ここではユーザがカメラ２３に対して右手を上げたジェスチャが検出される。
【０１６８】
ステップＳ１８４において判定部６２は、ジェスチャが検出されたかを判定する。いまの場合、ユーザが右手を上げたかが判定される。
【０１６９】
ステップＳ１８４において、まだ頭頂部撮影開始用のジェスチャが検出されていないと判定された場合、処理はステップＳ１８２に戻り、それ以降の処理が繰り返される。
【０１７０】
一方、ステップＳ１８４において、頭頂部撮影開始用のジェスチャが検出されたと判定された場合、処理はステップＳ１８５に進む。例えば、図１８Ａに示されるように、ユーザが右手２０３を上げた場合、ジェスチャ検出部６７によりこのジェスチャが頭頂部撮影開始用のジェスチャとして検出される。
【０１７１】
ステップＳ１８５において、画像処理部６４は、頭頂部画像を変換する。すなわち、ステップＳ１８２の処理で取得され、ステップＳ１８３の処理でジェスチャが検出されたタイミングの実像の頭頂部画像が鏡像の頭頂部画像に変換される。
【０１７２】
例えば、図１８Ａに示されるような、ユーザがカメラ２３に対して頭を向けた頭頂部画像２０２が取得され、図１８Ｂの頭頂部画像２２１に変換される。
【０１７３】
なお、頭頂部の画像を取得する場合、図５を参照して説明した背面画像取得処理と同様に、顔検出部６１による顔検出を実行し、顔が検出されなくなったときの画像を頭頂部画像として取得することもできる。
【０１７４】
また、身長の変化（例えば、立っている状態から屈んだ状態（頭頂部をカメラ２３に向けた状態））を検出することで、頭頂部画像を取得することもできる。あるいは、リモートコントローラ２４により撮影開始のタイミングを指示することもできる。
【０１７５】
ステップＳ１８５の処理の後、処理は図１７のステップＳ１６５に進む。
【０１７６】
なお、図１７のステップＳ１６１乃至Ｓ１６３の処理（つまり、図７の背面画像取得処理、図８の右側面画像取得処理、および図９の左側面画像取得処理）においてもジェスチャ検出部６７によるジェスチャの検出、あるいはリモートコントローラ２４の操作の検出を利用して、背面画像、右側面画像、および左側面画像のそれぞれを取得するようにすることもできる。
【０１７７】
なお、以上の各実施の形態においては、背面画像を取得し、表示するようにしたが、背面画像に代えて、正面画像を取得し、表示することもできる。
【０１７８】
＜第４の実施の形態＞
【０１７９】
［見本画像出力処理］
【０１８０】
図２０乃至図２３を参照して、見本画像出力処理について説明する。図２０は、見本画像出力処理を説明するフローチャートである。図２１は、表示装置２２の表示例を示す図である。図２２は、被写体画像の記憶を説明する図である。図２３は、表示装置２２の表示例を示す図である。
【０１８１】
見本画像出力処理は、画像処理装置２１および表示装置２２の電源がオンにされ、カメラにより撮影された画像が表示装置２２に映し出されている場合にユーザの操作により開始される。見本画像出力処理は、例えば、ユーザが見本画像を見ながら化粧をする場合に利用される。
【０１８２】
ステップＳ２０１において、取得部６３は、見本画像を取得する。見本画像は、予め記憶装置４６またはメモリカード５１に記憶された芸能人、著名人等の見本とする人の顔画像、化粧をした自分自身の顔画像などである。
【０１８３】
ステップＳ２０２において、取得部６３は、カメラ２３から被写体画像を取得する。すなわち、見本画像出力処理が指示されると、カメラ２３によりユーザの顔の撮影が開始され、撮影した動画像が被写体画像として取得される。
【０１８４】
ステップＳ２０３において、画像出力部４３は、見本画像と被写体画像を出力する。すなわち、ステップＳ２０１の処理で取得された見本画像と、ステップＳ２０２の処理で取得された被写体画像がそれぞれ出力される。
【０１８５】
例えば、図２１に示されるように、表示装置２２の左側に見本画像３０１が表示され、右側に被写体画像（すなわち、ユーザの顔画像）３０２が表示される。ユーザは、見本画像３０１と被写体画像（自分の顔画像）３０２を見比べながら化粧することができる。
【０１８６】
ステップＳ２０４において、判定部６２は、被写体画像３０２の記憶が指示されたかを判定する。すなわち、ユーザは、化粧した自分の顔画像を記憶させておきたいとき、記憶を指示する。
【０１８７】
ここでは、ユーザにより顔画像の記憶が指示されたかが判定される。ステップＳ２０４において、被写体画像３０２の記憶が指示されたと判定された場合、処理はステップＳ２０５に進む。
【０１８８】
ステップＳ２０５において、取得部６３は、カメラ２３から被写体画像を取得する。すなわち、カメラ２３によりユーザの顔を撮影した動画像のうち、所定のタイミングの１枚の画像（すなわち静止画像）が取得される。
【０１８９】
そのタイミングは、記憶を指示したタイミング、あるいはユーザが記憶を指示したタイミングより一定の時間（例えば２〜３秒）だけ前の時刻とすることができる。
【０１９０】
ステップＳ２０６において、記憶部６６は、被写体画像を記憶する。すなわち、ステップＳ２０５の処理で取得された被写体画像が記憶装置４６またはメモリカード５１に記憶される。
【０１９１】
なお、記憶された被写体画像のファイルには日付情報が付加されている。従って、例えば、図２２に示されるように、記憶された被写体画像３０２をカレンダー３２１の日付の上に重畳して表示させることができる。
【０１９２】
ユーザは、カレンダー３２１上に被写体画像３０２を記憶することができる。そして、記憶された被写体画像を新たな見本画像（例えば、見本画像３４１−１，３４１−２）として、上述したステップＳ２０１の処理で取得し、表示させることができる。
【０１９３】
図２０に戻り、ステップＳ２０４において、記憶が指示されていないと判定された場合、ステップＳ２０５，Ｓ２０６の処理はスキップされる。そして、ステップＳ２０７において、判定部６２は、終了が指示されたかを判定する。
【０１９４】
ステップＳ２０７において、まだ終了が指示されていないと判定された場合、処理はステップＳ２０４に戻り、それ以降の処理が繰り返される。
【０１９５】
一方、ステップＳ２０７において、終了が指示されたと判定された場合、図２０の見本画像出力処理は終了する。
【０１９６】
このように、自分自身の化粧した顔画像や芸能人、著名人等の顔画像を見本画像として記憶することで、ユーザが、次の化粧時に記憶された見本画像を見ながら化粧をすることができる。
【０１９７】
また、テレビジョン受像機などの表示装置２２に見本画像３０１と被写体画像３０２が表示されるので、表示装置２２の画面が大きくなるほど、見本画像３０１と被写体画像３０２が大きく表示され、ユーザがより化粧をし易くなる。
【０１９８】
なお、ステップＳ２０３の処理により、図２１に示されるように、見本画像３０１と被写体画像３０２は並べて表示するとしたが、重ねて表示することもできる。例えば、図２３に示されるように、見本画像３６１に対して被写体画像３６２を半透明にさせ、重畳して表示させることもできる。
【０１９９】
見本画像３６１と被写体画像３６２を重ねて表示させることで、ユーザが見本画像３６１の化粧をなぞるようにして化粧をすることができる。
【０２００】
［その他］
【０２０１】
本明細書において、システムの用語は、複数の装置、手段などより構成される全体的な装置を意味するものとする。
【０２０２】
本技術の実施の形態は、上述した実施形態に限定されるものではなく、本技術の要旨を逸脱しない範囲において種々の変更が可能である。また、本技術の実施の形態は、一部の機能を他の装置が有していても良い。
【０２０３】
本技術の実施の形態では、３枚または4枚の画像を鏡像として同時に表示装置２２に表示するとしたが、５枚以上の複数の画像を鏡像として表示装置２２に表示することができる。
【０２０４】
また、本技術においては、画像処理装置２１、表示装置２２、およびカメラ２３は、別々の装置ではなく一体化された１つの装置、または２つの装置により構成することもできる。例えば画像処理装置２１とカメラ２３を、テレビジョン受像機としての表示装置２２に一体化することもできる。
【０２０５】
さらに、本技術は、携帯電話機、デジタルカメラなどの電子機器にも適用することができる。
【０２０６】
なお、本技術は以下のような構成も取ることができる。
（１）１台のカメラにより撮影された画像からユーザの所定の向きの複数の画像を取得する取得部と、前記取得部により取得された複数の前記画像を鏡像として表示させるように統合する画像処理部とを備える画像処理装置。
（２）前記画像から前記ユーザの顔を検出する顔検出部をさらに備え、前記取得部は、前記顔検出部により前記画像から前記ユーザの右側面の顔が検出された場合、前記画像を実像の右側面画像として取得し、前記顔検出部により前記画像から前記ユーザの左側面の顔が検出された場合、前記画像を実像の左側面画像として取得する前記（１）に記載の画像処理装置。
（３）
前記取得部は、さらに実像の正面画像または背面画像を取得する前記（２）に記載の画像処理装置。
（４）前記画像処理部は、実像の前記右側面画像を鏡像の左側面画像に変換し、実像の前記左側面画像を鏡像の右側面画像に変換し、実像の前記正面画像または背面画像を鏡像の正面画像または背面画像に変換する前記（３）に記載の画像処理装置。
（５）前記画像処理部は、鏡像の前記左側面画像を鏡像の前記正面画像または背面画像の左側に配置し、鏡像の前記右側面画像を鏡像の前記正面画像または背面画像の右側に配置して表示させるように統合する前記（４）に記載の画像処理装置。
（６）前記取得部は、前記ユーザにより鏡像の前記右側面画像、鏡像の前記左側面画像、および鏡像の前記正面画像または背面画像のいずれかの画像の削除が指示された場合、削除が指示された画像に対応する新たな前記画像を取得する前記（４）または（５）に記載の画像処理装置。
（７）前記取得部は、前記ユーザの頭頂部画像をさらに取得し、前記画像処理部は、鏡像の前記頭頂部画像を上下を逆にして、鏡像の前記正面画像または背面画像の上に表示させるように統合する前記（５）または（６）に記載の画像処理装置。
（８）前記画像から前記ユーザのジェスチャを検出するジェスチャ検出部と、リモートコントローラからの信号を検出する検出部の少なくとも一方をさらに備え、前記取得部は、前記ジェスチャ検出部により前記ジェスチャが検出されたタイミング、または前記リモートコントローラからの信号が検出されたタイミングの画像を取得する前記（１）から（７）のいずれかに記載の画像処理装置。
（９）前記取得部は、前記ユーザに対して回転が指示された場合、前記カメラにより所定時間毎に撮影された前記画像を取得し、前記画像処理部は、前記取得部により取得された複数の前記画像のうち、前記ユーザにより選択された前記画像の鏡像を表示させるように統合する前記（１）に記載の画像処理装置。
（１０）１台のカメラにより撮影された画像からユーザの所定の向きの複数の画像を取得する取得ステップと、前記取得ステップの処理により取得された複数の前記画像を鏡像として表示させるように統合する画像処理ステップとを含む画像処理方法。
【符号の説明】
【０２０７】
２１  画像処理装置，  ２３  カメラ，  ６１  顔検出部，  ６３  取得部，  ６４  画像処理部，  ６７  ジェスチャ検出部
【図１】
2013026776.tif 000003
【図２】
2013026776.tif 000004
【図３】
2013026776.tif 000005
【図４】
2013026776.tif 000006
【図５】
2013026776.tif 000007
【図６】
2013026776.tif 000008
【図７】
2013026776.tif 000009
【図８】
2013026776.tif 000010
【図９】
2013026776.tif 000011
【図１０】
2013026776.tif 000012
【図１１】
2013026776.tif 000013
【図１２】
2013026776.tif 000014
【図１３】
2013026776.tif 000015
【図１４】
2013026776.tif 000016
【図１５】
2013026776.tif 000017
【図１６】
2013026776.tif 000018
【図１７】
2013026776.tif 000019
【図１８】
2013026776.tif 000020
【図１９】
2013026776.tif 000021
【図２０】
2013026776.tif 000022
【図２１】
2013026776.tif 000023
【図２２】
2013026776.tif 000024
【図２３】
2013026776.tif 000025